(57)【要約】      （修正有）【課題】顧客が草花のポット苗と植木鉢を購入する際に店頭においてレイアウトのシミュレーションを行うことができるようにする。【解決手段】植木鉢本体２と、植木鉢本体の内面の側面の一部、又は前面に当接するように保持されるトレイ３とから成る植木鉢１であって、トレイは植木鉢本体の底面から所定の高さの位置に、底面と平行になるように保持される。【選択図】図１
0003138864.tif 000002
【実用新案登録請求の範囲】
【請求項１】
植木鉢本体と、該植木鉢本体の内面の側面の一部又は前面に当接するように保持されるトレイとから成る植木鉢であって、
前記トレイは、前記植木鉢本体の底面から所定の高さの位置に、底面と平行になるように保持されることを特徴とする植木鉢。
【請求項２】
前記植木鉢本体の内面の側面の前記所定の高さの位置に、前記トレイを保持するための突起をほぼ等間隔に少なくとも３箇所設けたことを特徴とする請求項１に記載の植木鉢。
【請求項３】
前記植木鉢本体の内面の側面の前記所定の高さの位置に、前記トレイを保持するための段を一周分設けたことを特徴とする請求項１に記載の植木鉢。
【請求項４】
前記トレイの面に垂直に、前記所定の高さに相当する長さの脚を設けたことを特徴とする請求項１に記載の植木鉢。
【請求項５】
前記脚は、棒状もしくは平板状であることを特徴とする請求項４に記載の植木鉢。
【請求項６】
前記トレイの全面に、複数の開口部が設けられていることを特徴とする請求項１乃至５のいずれかに記載の植木鉢。
【請求項７】
前記トレイは、紙又はプラスチックで構成されていることを特徴とする請求項１乃至６のいずれかに記載の植木鉢。
【考案の詳細な説明】
【技術分野】
【０００１】
本考案は、花株を育成し、鑑賞するための植木鉢（プランターともいう。）に関し、特にポット苗の状態にある花株を載せて、そこで自由に動かし、レイアウトのシミュレーションを行うことが可能なトレイを備えた植木鉢に関する。
【背景技術】
【０００２】
観賞用の草花としては、初めから植木鉢の中に植えられて販売されるものの他に、ポット苗と呼ばれる、小さなビニール製のポットに入れられた花株が知られている。
【０００３】
かかるポット苗を複数個（草花の種類の違いは考えない）同じ植木鉢の中に入れてレイアウトする場合は、通常は以下の手順で行われる。
（１）植木鉢の中にある程度の高さまで土を入れる。入れる土の高さは、最終的な出来上がりの状態の土の高さから、ポット苗の土の高さを引いた高さになる。
（２）ポット苗からビニール製のポットを外し、植木鉢の土の上に置いて、レイアウトを行う。
（３）最終的なレイアウトが決定したら、さらに土を入れてポット苗を埋める。
【０００４】
しかしながら、これらの作業はポット苗と植木鉢を店で購入し、自宅に持ち帰ってからでなければすることができず、洋服の購入前の試着のように、ポット苗を購入する前に、気に入った植木鉢とポット苗とを組み合わせて、試しにレイアウトを行って、最終的なレイアウトのシミュレーションを行ってから、納得して購入したいという顧客の要望には応えることができない。
【０００５】
これは主として植木鉢の形状に起因すると考えられる。すなわち、店頭でレイアウトのシミュレーションを行おうとすれば、（植木鉢に土が入っていないため）植木鉢の底にポット苗を置かざるを得なくなるが、一般的に植木鉢は底に近くなるほど断面積が小さくなる逆円錐台（又は逆角錘台）形状をしているため、そのままでポット苗をレイアウトしても、実際のレイアウト状態とはほど遠いものとなってしまう。
【０００６】
従って、複数のポット苗を植木鉢の中で適当な高さに浮かせて保持し、かつ、その高さにおいて自由に移動させてレイアウトすることができる手段が求められている。
【考案の開示】
【考案が解決しようとする課題】
【０００７】
本考案は上述のような事情に鑑み為されたものであり、複数のポット苗を植木鉢の中で適当な高さに浮かせて保持し、かつ、その高さにおいて自由に移動させてレイアウトすることを可能とする保持手段を備えた植木鉢を提供することにより、顧客が草花のポット苗と植木鉢を購入する際に店頭においてレイアウトのシミュレーションを行うことができるようにすることを目的とする。
【課題を解決するための手段】
【０００８】
本考案は、ポット苗のレイアウトのシミュレーションを行うことが可能な植木鉢に関し、本考案の上記目的は、植木鉢本体と、該植木鉢本体の内面の側面の一部又は前面に当接するように保持されるトレイとから成る植木鉢であって、前記トレイは、前記植木鉢本体の底面から所定の高さの位置に、底面と平行になるように保持されることを特徴とする植木鉢によって達成される。
【０００９】
また、本考案の上記目的は。前記植木鉢本体の内面の側面の前記所定の高さの位置に、前記トレイを保持するための突起をほぼ等間隔に少なくとも３箇所設けるか、あるいは全周にわたって段状に設けることによって効果的に達成される。
【００１０】
さらに、本考案の上記目的は、前記トレイの面に垂直に、前記所定の高さに相当する長さの脚を設けることによって効果的に達成される。
【００１１】
またさらに、本考案の上記目的は、前記トレイの全面に、複数の開口部を設けることによって、さらに効果的に達成される。
【考案の効果】
【００１２】
本考案に係る植木鉢によれば、複数のポット苗を植木鉢の中で適当な高さに浮かせて保持し、かつ、その高さにおいて自由に移動させてレイアウトすることができるので、顧客が草花のポット苗と植木鉢を購入する際に店頭においてレイアウトのシミュレーションを行うことができるという効果がある。
【００１３】
また、本考案の好ましい実施の形態によれば、ポット苗のレイアウトを行った後、トレイを植木鉢の中に収めたままの状態で土をかけて苗を埋めることができるので、作業が楽になるとともに、ポット苗の埋める位置（高さ）を一定に保つことができるという効果がある。
【考案を実施するための最良の形態】
【００１４】
本考案に係る植木鉢について、図面を参照しつつ詳細に説明する。図１は本考案に係る植木鉢１の斜視図であり、植木鉢本体２とトレイ３とから成る。
【実施例１】
【００１５】
図２（Ａ）は本考案に係る植木鉢の側面図（透視図）、図２（Ｂ）は平面図をそれぞれ示している。
【００１６】
図２（Ａ）においてトレイ３の上にはポット苗５が載置され、このトレイ３の上で自由に移動させることによってレイアウトのシミュレーションを行うことができる。ポット苗のポットの高さは種類によって異なるが、普通のサイズで約１０ｃｍ前後であるので、土を入れる高さを植木鉢の上縁から１〜２ｃｍの深さとすると、トレイ３が保持される位置は植木鉢の上縁から約１２ｃｍ程度の位置が好ましい。従って、底面４からの高さｈは植木鉢本体２の高さによって異なる。また、トレイ３の大きさ（形状）は、植木鉢本体２の底面４からの高さｈにおける横断面の大きさにしておけば、そこから下には下がらない。なぜならば、植木鉢本体２は通常、逆円錐台（又は角錐台）の形状をしており、底面に近づくにつれて断面が小さくなるからである。なお、完全な円柱又は角柱タイプの植木鉢であれば、底面４に直接ポット苗を置いてレイアウトのシミュレーションを行うことができるので、トレイ３は特に必要ない。
【００１７】
また、この場合、トレイは植木鉢本体２の側面の内側に当接しているだけなので、ずれて斜めになってしまう可能性がある。
【実施例２】
【００１８】
そこで、実施例２は、トレイ３がずれて斜めになってしまうのを避けるために、上述のように底面４からｈの高さの位置にトレイ３を保持するための突起６をほぼ等間隔に少なくとも３箇所設ける。ほぼ等間隔に設けるのはバランスがよくなるからであり、少なくとも３箇所設けるのは、３点によって一つの平面が形成され、安定するからである。この突起６は植木鉢本体の製造時に一体成型として設けてもよいし、あとから接着等によって設けてもよい。
【００１９】
また、図示していないが、突起の代わりに、上記ｈの高さに位置に、全周にわたって段状に突起を設けるようにしてもよい。
【実施例３】
【００２０】
これは、実施例２の突起６を設ける代わりに、トレイ３に垂直に脚７を設け、脚７の先端を底面４に着けることによってトレイ３を保持するものである。従って、脚７の長さは、上述のように、底面からの高さｈと等しくする。脚７の本数は、トレイ３の真ん中に１本でもよいが、安定させるためには３本設置するのが好ましい。また、形状は棒状でも板状でもよい。板状の場合は、２枚の板を十字状に組み合わせてもよい。脚７を付けることによって、上からの荷重に対して強くなるので、ポット苗を多数載せてもトレイが変形することを防止できる効果がある。
【００２１】
図５はトレイの第１実施例を示す図であり、トレイ３に円形の開口部８を多数設け、土や水、植物の根が通過できるようにしたものである。開口部の形状は円形でなくてもよく、また大きさは一定である必要もない。
【００２２】
図６は柵状の開口部８を設けたトレイの第２実施例を示す図である。開口部８の幅はポットが下に落ちない程度であればよい。
【００２３】
図７は網目状（テニスラケット状）の開口部を設けたトレイの第３実施例を示す図である。目は図のように細かくする必要はなく、ポットが落ちない程度の粗さでもよい。
【００２４】
上記トレイの実施例は植木鉢本体の断面が円形の場合の例であるが、多角形の場合はそれに合わせた外形となる。
【００２５】
なお、本明細書においては植木鉢について説明しているが、プランターも含まれることは言うまでもない。
【図面の簡単な説明】
【００２６】
【図１】本考案に係る植木鉢の斜視図である。
【図２】（Ａ）は本考案に係る植木鉢の側面（透視）図、（Ｂ）は平面図である。
【図３】本考案に係る植木鉢の第２実施例の側面（透視）図である。
【図４】本考案に係る植木鉢の第３実施例の側面（透視）図である。
【図５】トレイの第１実施例である。
【図６】トレイの第２実施例である。
【図７】トレイの第３実施例である。
【符号の説明】
【００２７】
１  植木鉢
２  植木鉢本体
３  トレイ
４  底面
５  ポット苗
６  突起部
７  脚
８  開口部
【図１】
0003138864.tif 000003
【図２】
0003138864.tif 000004
【図３】
0003138864.tif 000005
【図４】
0003138864.tif 000006
【図５】
0003138864.tif 000007
【図６】
0003138864.tif 000008
【図７】
0003138864.tif 000009